【手続補正書】
【提出日】平成18年12月21日(2006.12.21)
【手続補正１】
【補正対象書類名】明細書
【補正対象項目名】特許請求の範囲
【補正方法】変更
【補正の内容】
【特許請求の範囲】
【請求項１】
一の材料の粒子を製造する方法であって、
その材料の溶媒中分散物の流れと、圧縮可能な流体抗溶媒物質の流れとを、その物質が圧縮可能な流体抗溶媒の状態にあるような条件下で、それらの流れが合わさって混合物を形成するように相互に接触させ、
ついで、その流れが接触する領域から、その混合物がオリフィスを通って下流にある領域に流れるように導管からその下流領域に直に開放しているオリフィスに向かって下流に伸びる導管に沿ってその混合物が流れるようにし、
ここで、導管中の混合物の圧力および温度は、圧縮可能な流体抗溶媒物質が導管の長さの少なくとも一部において圧縮された状態を維持するような圧力および温度であり、
下流領域の圧力および温度は、圧縮可能な流体抗溶媒がその中で気体状態で存在し、圧縮可能な流体抗溶媒が気体となる結果として、材料が該混合物より粒子の状態にて分離するような圧力および温度である、方法。
【請求項２】
圧縮可能な流体抗溶媒物質が超臨界流体状態下にある物質であることを特徴とする、請求項１記載の方法。
【請求項３】
下流領域の圧が１−２０バールであり、温度が０−５０℃であることを特徴とする、請求項１または２記載の方法。
【請求項４】
下流領域の圧がおおよそ大気圧であることを特徴とする、請求項３記載の方法。
【請求項５】
圧縮可能な流体抗溶媒物質が二酸化炭素を含むことを特徴とする、請求項１ないし４のいずれか一項に記載の方法。
【請求項６】
二酸化炭素が超臨界流体状態にあることを特徴とする、請求項５記載の方法。
【請求項７】
溶媒がＣ１−５アルキルＣ１−５アルカノエートエステル、Ｃ１−５アルコールおよびジ−Ｃ１−５アルキルケトン、ハロゲン化有機溶媒、水およびその混合物から選択される有機溶媒であることを特徴とする、請求項１ないし６のいずれか一項に記載の方法。
【請求項８】
溶媒が材料で飽和しているか、飽和状態に近いことを特徴とする、請求項１ないし７のいずれか一項に記載の方法。
【請求項９】
超臨界流体物質：分散物が５０：１またはそれ以下の割合であることを特徴とする、請求項２ないし８のいずれか一項に記載の方法。
【請求項１０】
１またはそれ以上の添加剤および／または修飾剤を材料、溶媒および圧縮可能な流体抗溶媒物質の混合物中に導入することを特徴とする、請求項１ないし９のいずれか一項に記載の方法。
【請求項１１】
１またはそれ以上の添加剤が固体であり、分散物として担体ビヒクル中に導入されることを特徴とする、請求項１０記載の方法。
【請求項１２】
材料および／または圧縮可能な流体抗溶媒物質の分散物の流入物の流れ中に添加剤および／または修飾剤を導入することを特徴とする、請求項１０または１１記載の方法。
【請求項１３】
添加剤および／または修飾剤をこれを投入する前に一方または両方の流入物の流れと混合することを特徴とする、請求項１０または１１記載の方法。
【請求項１４】
その流れが混合する領域に、１またはそれ以上の添加剤および／または修飾剤を個々に導入することを特徴とする、請求項１０または１１記載の方法。
【請求項１５】
分散物および圧縮可能な流体抗溶媒物質の流れが相互に接触する領域で、１またはそれ以上の添加剤および／または修飾剤をその分散物および圧縮可能な流体抗溶媒物質の混合物中に導入することを特徴とする、請求項１０または１１記載の方法。
【請求項１６】
溶液および圧縮可能な流体抗溶媒物質が出会う領域とオリフィスの間の導管中にある分散物および圧縮可能な流体抗溶媒物質の混合液中に、１またはそれ以上の添加剤および／または修飾剤を導入することを特徴とする、請求項１０または１１記載の方法。
【請求項１７】
圧縮可能な流体抗溶媒物質を圧縮解除する工程より下流にある地点で１またはそれ以上の添加剤を混合物中に導入することを特徴とする、請求項１０ないし１７のいずれか一項に記載の方法。
【請求項１８】
１またはそれ以上の添加剤が賦形剤材料であることを特徴とする、請求項１０ないし１７のいずれか一項に記載の方法。
【請求項１９】
流体担体ビヒクル中の添加剤を材料および圧縮可能な流体抗溶媒物質を含む流れ中に導入し、ついでその混合した流れを圧縮可能な流体抗溶媒物質を圧縮解除する下流領域に流すことにより、材料および添加剤の混合物を製造する、材料と添加剤の共同処方を形成する方法。
【請求項２０】
導管中の混合物の圧力および温度が、導管の寸法を流れが出会う領域とオリフィスの間の導管の一部または全管で背圧を生成するようにすることで維持されることを特徴とする、請求項１ないし１９のいずれか一項に記載の方法。
【請求項２１】
流れが出会う領域とオリフィスの間の混合物のフロー中に加圧気体を導入することを特徴とする、請求項１ないし２０のいずれか一項に記載の方法。
【請求項２２】
混合物のフローを、導管中、上流の高圧域と下流の低圧域の間で制限し、フロー制御流体を絞りの上流にある導管中に導入し、フロー制御流体の圧力を絞りの上流にあるフロー流体の圧力と等しいかまたはそれよりも大きくすることを特徴とする、請求項１ないし２１のいずれか一項に記載の方法。
【請求項２３】
加熱担体流体を導管に沿って流れている混合物中に導入することを特徴とする、請求項１ないし２２のいずれか一項に記載の方法。
【請求項２４】
乾燥手段を下流領域に設けることを特徴とする、請求項１ないし２３のいずれか一項に記載の方法。
【請求項２５】
水性ビヒクルにて運ばれる材料を乾燥手段により乾燥することを特徴とする、請求項２４記載の方法。
【請求項２６】
乾燥手段が下流領域にある粒子を気流にて浮遊させて運ぶことを特徴とする、請求項２４または２５記載の方法。
【請求項２７】
この方法にて形成された粒子を集めることを特徴とする、請求項１ないし２６のいずれか一項に記載の方法。
【請求項２８】
上記したいずれかの請求項に記載の方法を用いて製造される粒子製品。
【請求項２９】
材料の溶媒中分散物の流れと、圧縮可能な流体抗溶媒物質の流れとを、その物質が圧縮可能な流体抗溶媒の状態にあるような条件下で、それらの流れが合わさって混合物を形成するように相互に接触させるための手段（１１、１３、２１、２３、３１、３３）と、
その流れが接触する領域からオリフィス（１８、２８、３８）に向かって下流に伸び、それに沿って混合物を流すことのできる導管（１７、２７、３７）と、
導管（１７、２７、３７）中の混合物の圧力および温度が、物質が導管（１７、２７、３７）の少なくとも一部において圧縮可能な流体抗溶媒の状態を維持するような圧力および温度とする手段と、
その中の圧力および温度の条件を、下流にある領域の圧縮可能な流体抗溶媒物質が気体の状態であるようにする、手段を備えた、オリフィスと連絡している下流にある領域（１９、２９、３９）と
からなることを特徴とする、請求項１に記載の方法を行うのに適する装置。
【請求項３０】
導管（１７、２７、３７）中の混合物の圧力および温度を、物質が導管（１７、２７、３７）の少なくとも一部に沿って圧縮可能な抗溶媒状態を維持するような圧力および温度とする手段が、該物質が超臨界流体の状態を維持するようにする手段であることを特徴とする、請求項２９記載の装置。
【請求項３１】
「Ｔ」または「Ｙ」字型の個々のリムに沿って材料の分散物および圧縮可能な流体抗溶媒物質を流すことで、それらを相互に接触させる「Ｔ」または「Ｙ」字型管システム（１５、２５）であり、「Ｔ」または「Ｙ」字型の軸としての導管（１７、２７）を備えていることにより特徴付けられる、請求項２９または３０記載の装置。
【請求項３２】
オリフィス（１８、２８、３８）がリムの接続部（１５，２５）から遠く離れたリムの末端部にある、請求項３１記載の装置。
【請求項３３】
１またはそれ以上の添加剤および／または修飾剤を導入するための導入手段（３１９、３２５）により特徴付けられる、請求項２９ないし３３のいずれか一項に記載の装置。
【請求項３４】
導入手段が「Ｘ」字型管配置（３１、３３、３２５、３７）を含み、材料および圧縮可能な流体抗溶媒物質の個々の流れが「Ｘ」字型管配置の２つの個々のリム（３１、３３）を介して導入され、添加剤が「Ｘ」字型管の第３のリム（３２５）を介してフロー中に導入され、「Ｘ」字型の第４のリム（３７）が導管を含むことを特徴とする、請求項３３記載の装置。
【請求項３５】
導入手段が分散物および圧縮可能な流体抗溶媒物質が出会う地点の下流にある位置にて、さらに「Ｔ」または「Ｙ」字型管配置（３７、３１９）を含むことを特徴とする、請求項３４記載の装置。
【請求項３６】
導管（１７、２７、３７）中の混合物の圧力および温度を、物質が圧縮可能な流体抗溶媒の状態を維持するような圧力および温度とする手段が、流れが出会う領域とオリフィス（１８、２８、３８）の間の導管の一部または全部で背圧を形成するような寸法の導管（１７、２７、３７）を含むことで特徴付けられる、請求項２９ないし３５のいずれか一項に記載の装置。
【請求項３７】
加圧気体を導管（２７）に直接導入するための加圧気体導入手段（２１４）により特徴付けられる、請求項２９ないし３６のいずれか一項に記載の装置。
【請求項３８】
形成される粒子を乾燥させるための乾燥手段により特徴付けられる、請求項２９ないし３６のいずれか一項に記載の装置。
【請求項３９】
乾燥手段がオリフィスの回りに加熱気流を導入することを特徴とする、請求項３８記載の装置。
【請求項４０】
粒子を集めるための下流領域を設ける、請求項２９ないし３９のいずれか一項に記載の装置。